(57)【要約】      （修正有）【課題】ノズル面と記録ヘッドの保持部の底面を短時間で拭き残りなくワイピングし、保持部の底面の端部に付着した異物についても効果的に払拭することができるインクジェット記録装置を提供する。【解決手段】ノズルが複数配列された記録ヘッド１１のノズルからインクを吐出して記録媒体に画像を記録するインクジェット記録装置において、ヘッドチップ１１を保持するとともに、ヘッドチップ１１のノズル面１１１と略同一平面上に形成された底面を有する保持板１２と、保持板１２の底面の幅よりも幅広で、ノズル面１１１及び保持板１２の底面に接離可能な清掃ローラー８０と、清掃ローラー８０と保持板１２のうち少なくとも何れか一方を保持部１２の長手方向に移動させるローラー搬送モーターと、を備える。【選択図】図９
2016002651.tif 000002
【特許請求の範囲】
【請求項１】
ノズルが複数配列された記録ヘッドのノズルからインクを吐出して記録媒体に画像を記録するインクジェット記録装置において、
前記記録ヘッドを保持するとともに、前記記録ヘッドのノズル面と略同一平面上に形成された底面を有する保持部と、
前記保持部の底面の幅よりも幅広で、前記ノズル面及び前記底面に接離可能な清掃ローラーと、
前記清掃ローラーと前記保持部のうち少なくとも何れか一方を前記保持部の長手方向に移動させる移動部と、
を備えることを特徴とするインクジェット記録装置。
【請求項２】
請求項１に記載のインクジェット記録装置において、
前記記録ヘッドは、当該インクジェット記録装置の搬送方向に沿って複数設けられており、
前記清掃ローラーは、複数の前記記録ヘッドに跨るように設けられ、且つ前記清掃ローラーの両端部は、複数の前記記録ヘッドを保持する前記保持部の幅方向の両端部よりも外側に位置していることを特徴とするインクジェット記録装置。
【請求項３】
請求項１又は２に記載のインクジェット記録装置において、
前記清掃ローラーが全ての前記記録ヘッドに跨るように設けられ、且つ前記清掃ローラーの両端部は、全ての前記記録ヘッドを保持する前記保持部の幅方向の両端部よりも外側に位置していることを特徴とするインクジェット記録装置。
【請求項４】
請求項１〜３の何れか一項に記載のインクジェット記録装置において、
前記清掃ローラーは、外周面に洗浄液を吸収する吸収体を有し、
前記清掃ローラーを回転させるための回転軸と、
前記清掃ローラーの下部を前記洗浄液に浸すための容器と、
前記清掃ローラーの外周面と当接して前記洗浄液の吸収量を調節する調節部と、
を備えることを特徴とするインクジェット記録装置。
【発明の詳細な説明】
【技術分野】
【０００１】
本発明は、インクジェット記録装置に関する。
【背景技術】
【０００２】
普通紙やプラスチック薄板等の種々の記録媒体に画像を形成することができる記録装置としてインクジェットプリンタがある。インクジェットプリンタは、ノズル孔からインクを吐出する記録ヘッドを備えている。記録ヘッドのノズル孔から記録媒体に向けて微細な液滴としてインクを吐出することにより、記録媒体に画像が形成される。
【０００３】
このようなインクジェット記録装置では、ノズルが複数配列されている記録ヘッドのノズル面に付着したインク等の液滴や異物等によって、インクの吐出不良やインク垂れが生じることが知られている。また、ノズル面が長時間保湿されない状態にあると、ノズル内のインクが渇き、インクの粘土が上がり吐出不良が生じていることも知られている。また、インク滴がミスト状となり、浮遊するインク滴が記録ヘッドを保持する保持部の底面にも付着することがある。そのため、インクジェット記録装置には、ノズル面や保持部の底面に付着した付着物の除去等のメンテナンス処理を行うメンテナンス機構が備えられている。
【０００４】
従来のメンテナンス機構としては、例えば、シート状の払拭部材を使用する方法（特許文献１）、ブレードを使用する方法（特許文献２）、及び清掃ローラーを使用する方法（特許文献３）等が知られている。
【０００５】
シート状の払拭部材を使用する方法では、シート状の払拭部材を当てることにより、ノズル面や記録ヘッドを保持する保持部の底面が払拭される。この方法では、例えば、特許文献１のように、ノズル面のみを払拭する払拭モードと、キャリッジ表面（保持部の底面）のみを払拭する払拭モードと、をそれぞれ備える方法が知られている。
【０００６】
ブレードを使用する方法では、ブレードをノズル面に当接させることにより、ノズル面や記録ヘッドを保持する保持部の底面が払拭される。この方法では、例えば、特許文献２のように、ノズル面より幅の小さいブレードでノズル面をワイピングする方法が知られている。
【０００７】
清掃ローラーを使用する方法では、清掃ローラーがノズル面を摺接することによって払拭される。この方法では、例えば、特許文献３のように、キャリッジを搬送方向に移動させた際に、キャリッジの搬送方向に直交する方向を回転軸として支持された清掃ローラーが記録ヘッドのノズル面を摺接して払拭する方法が知られている。
【先行技術文献】
【特許文献】
【０００８】
【特許文献１】特開２０１２−０５１１３２号公報
【特許文献２】特開２０１２−０３５５６３号公報
【特許文献３】特開２０１０−０５８４２８号公報
【発明の概要】
【発明が解決しようとする課題】
【０００９】
しかしながら、特許文献１の方法では、ノズル面と記録ヘッドの保持部の底面との両面を払拭する場合、２つの払拭モードを別々に実行する必要があるため、全域を清掃するには時間を要するという問題がある。
【００１０】
特許文献２の方法では、ブレードを使用してノズル面のみをワイピングしているため、ノズル面の端や記録ヘッドの保持部の底面には当然拭き残りが生じる。ここで仮に、保持部の底面よりも長尺なブレードを使用した場合、ブレードが長尺になるほど、ブレードに対する負荷が大きくなって摩耗し易くなるため、耐久性が悪くなる。また、ブレードに均一な押圧力を加えることが難しくなるため、ワイピング性能が安定し難くなって、拭き残りが生じ易くなるという問題が生じる。
【００１１】
特許文献３の方法では、清掃ローラーによって、ノズル面と記録ヘッドの保持部の底面との段差付近を払拭することは難しいため、拭き残りが生じ易いという問題が生じる。
【００１２】
本発明は、このような問題に鑑みてなされたものであり、本発明の課題は、ノズル面と記録ヘッドの保持部の底面との両面を短時間で拭き残りなくワイピングし、保持部の底面の端部に付着した異物についても効果的に払拭可能なワイピング機構を備えるインクジェット記録装置を提供することである。
【課題を解決するための手段】
【００１３】
上記課題の解決のために、請求項１に記載の発明は、
ノズルが複数配列された記録ヘッドのノズルからインクを吐出して記録媒体に画像を記録するインクジェット記録装置において、
前記記録ヘッドを保持するとともに、前記記録ヘッドのノズル面と略同一平面上に形成された底面を有する保持部と、
前記保持部の底面の幅よりも幅広で、前記ノズル面及び前記底面に接離可能な清掃ローラーと、
前記清掃ローラーと前記保持部のうち少なくとも何れか一方を前記保持部の長手方向に移動させる移動部と、
を備えることを特徴とする。
【００１４】
請求項２に記載の発明は、請求項１に記載のインクジェット記録装置において、
前記記録ヘッドは、当該インクジェット記録装置の搬送方向に沿って複数設けられており、
前記清掃ローラーは、複数の前記記録ヘッドに跨るように設けられ、且つ前記清掃ローラーの両端部は、複数の前記記録ヘッドを保持する前記保持部の幅方向の両端部よりも外側に位置していることを特徴とする。
【００１５】
請求項３に記載の発明は、請求項１又は２に記載のインクジェット記録装置において、
前記清掃ローラーが全ての前記記録ヘッドに跨るように設けられ、且つ前記清掃ローラーの両端部は、全ての前記記録ヘッドを保持する前記保持部の幅方向の両端部よりも外側に位置していることを特徴とする。
【００１６】
請求項４に記載の発明は、請求項１〜３の何れか一項に記載のインクジェット記録装置において、
前記清掃ローラーは、外周面に洗浄液を吸収する吸収体を有し、
前記清掃ローラーを回転させるための回転軸と、
前記清掃ローラーの下部を前記洗浄液に浸すための容器と、
前記清掃ローラーの外周面と当接して前記洗浄液の吸収量を調節する調節部と、
を備えることを特徴とする。
【発明の効果】
【００１７】
本発明によれば、ノズル面と保持部の底面を同一平面上に配置し、且つ、清掃ローラーの幅を保持部の底面の幅よりも幅広とすることにより、ノズル面と保持部の底面との両面を短時間で拭き残りなくワイピングすることができるとともに、保持部の底面の端部にインクが付着した場合であってもインクを吸着することができ、拭き残りを発生させない。
【図面の簡単な説明】
【００１８】
【図１】インクジェット記録装置の概略構成を示す斜視図である。
【図２】インクジェット記録装置に備わるラインヘッドの概略構成を示す斜視図である。
【図３】ラインヘッドに備わるインクジェットヘッドの配設状態について説明するための底面図である。
【図４】インクジェットヘッドの構成を説明するための、上側（ａ）からの斜視図及び下側（ｂ）からの斜視図である。
【図５】図３のＶ−Ｖ線に沿った面を模式的に示す断面図である。
【図６】ラインヘッドと清掃ローラーの位置関係を説明するための模式図である。
【図７】インクジェット記録装置の制御系を示すブロック図である。
【図８】ワイピング機構の動作説明図であり、清掃ローラーが右に移動する場合（ａ）及び左に移動する場合（ｂ）のラインヘッドの底面図である。
【図９】ワイピング機構の動作説明図であり、清掃ローラーが右に移動する場合（ａ）、清掃ローラーが右端まで移動した場合（ｂ）、インクジェットヘッドが上昇した場合（ｃ）及び清掃ローラーが左に移動する場合（ｄ）の一連の機構を示すインクジェットヘッドの正面図である。
【図１０】清掃ローラーへの洗浄液供給装置を示す概略図である。
【図１１】他の実施形態におけるラインヘッドと清掃ローラーの位置関係を説明する斜視図である。
【図１２】他の実施形態におけるインクジェット記録装置の概略構成を示す斜視図である。
【図１３】他の実施形態におけるインクジェット記録装置のキャリッジと清掃ローラーの位置関係を説明するための概略図である。
【発明を実施するための形態】
【００１９】
以下、図面を参照しながら本発明の好ましい実施形態について説明する。ただし、発明の範囲は図示例に限定されない。なお、以下の説明において、同一の機能及び構成を有するものについては、同一の符号を付し、その説明を省略する。
【００２０】
［インクジェット記録装置の概略］
インクジェット記録装置１は、図１に示す通り、記録媒体Ｋを支持するプラテン２を有している。プラテン２の前後には記録媒体Ｋを搬送するための搬送機構としての搬送ローラー３が設けられている。搬送ローラー３が駆動モーター９４（図７参照）によって駆動されると、記録媒体Ｋがプラテン２に支持された状態で後方から前方に搬送される。
なお、以下の説明では、記録媒体Ｋの搬送方向を前後方向、記録媒体Ｋの搬送面において搬送方向に直交する方向を左右方向、後述するラインヘッド４，５，６，７からインクが吐出する方向を上下方向と定義して説明する。
【００２１】
プラテン２の上方には、搬送方向の後方側（上流側）から前方側（下流側）にかけて、搬送方向に直交する左右方向に延在する長尺なラインヘッド４，５，６，７が並列して設けられおり、ラインヘッド４，５，６，７は、ラインヘッド昇降モーター９５（図７参照）によって上下方向に昇降可能となっている。そして、ラインヘッド４，５，６，７は、例えば、それぞれシアン（Ｃ），マゼンタ（Ｍ），イエロー（Ｙ），黒（Ｋ）のインクを記録媒体Ｋに向けて吐出する。
なお、使用するインクは上記の例に限定されず、例えば、ライトシアン（ＬＣ）、ライトマゼンタ（ＬＭ）、ライトイエロー（ＬＹ）等の他の色を使用することが可能である。この場合には、各色に対応したラインヘッドがさらに設けられる。
また、各ラインヘッド４，５，６，７は、吐出するインクの色が異なる以外の点で同様の構成をなしているため、以下の説明においては、ラインヘッド４を代表として詳細に説明する。
【００２２】
［ラインヘッド］
ラインヘッド４は、図２及び図３に示す通り、インクジェットヘッド１０と、これらのインクジェットヘッド１０を支持するフレーム部（支持体）２０とを備えている。
【００２３】
フレーム部２０は、左右方向に長尺な部材であり、下向きに開口した箱型に形成されている。また、フレーム部２０の前面部２１及び後面部２２の所定位置には、インクジェットヘッド１０の筐体３０の前面側及び後面側に設けられた円柱状の突起部ａ１，ｂ１（後述）と係合する溝部２３が形成されている。
【００２４】
溝部２３は、前面側の突起部ａ１どうし及び後面側の突起部ｂ１どうしの間隔に対応させて所定間隔を空けて複数形成されている。
各溝部２３は、前面部２１及び後面部２２の各々の下端から切り欠かれてなり、前後方向に見て略直角に屈曲した形状をなしている。また、各溝部２３の最奥部が下側に凸の円弧状に湾曲してなり、当該円弧状の部分に円柱状の突起部ａ１、ｂ１が載置されるようになっている。
【００２５】
なお、図２では、前面部２１に設けられた溝部２３のみを図示しているが、後面部２２も同様の構成である。
また、溝部２３及び突起部ａ１，ｂ１の数は、適宜任意に変更可能であり、また、溝部２３の最奥部の形状についても、突起部ａ１、ｂ１の外形上に対応させて適宜任意に変更可能である。
【００２６】
また、フレーム部２０の上面部２４には、インクジェットヘッド１０に対応させて開口部２４ａがそれぞれ形成され、この開口部２４ａにインクジェットヘッド１０を構成する供給用コネクタ１５、排出用コネクタ１６及び電装コネクタ１９（後述）等が挿通されている。
【００２７】
［インクジェットヘッド］
インクジェットヘッド１０は、図４（ａ），（ｂ）及び図５に示す通り、所定数（例えば、１８つ）の記録ヘッドとしてのヘッドチップ１１を保持する保持部としての保持板１２と、各ヘッドチップ１１にインクを供給するために共通化されたインク室１３と、このインク室１３と供給パイプ１４を介して連通された供給用コネクタ１５及び排出用コネクタ１６と、ヘッドチップ１１の圧電素子の駆動を制御するためのＩＣ基板１７と、このＩＣ基板１７と中継基板１８ａ及びコネクタ基板１８ｂを介して接続されるとともに記録装置本体側の制御基板（図示略）と接続される電装コネクタ１９と、これらのヘッド構成部品が内側に配置された筐体３０と、を備えている。
【００２８】
保持板１２は、筐体３０の下端部３０ａに取り付け固定されている。
また、保持板１２には、所定数（例えば、１８つ）の略等しい形状及び寸法のノズル面１１１を具備するヘッドチップ１１、…が左右方向に沿って千鳥状に配設されている。即ち、保持板１２の前側及び後側の各々には、ヘッドチップ１１が９つずつ所定の等しい間隔を空けて配設され、前側の９つのヘッドチップ１１、…と後側の９つのヘッドチップ１１、…とは、一のヘッドチップ１１の左右方向の幅の分だけ左右方向にずれて配置されている。
ヘッドチップ１１、…は、複数のノズル（図示略）を備えた板状の部材であり、底面のノズル面１１１、…が、保持板１２の底面と同一平面上になるように、保持板１２に保持されている。
【００２９】
供給用コネクタ１５、ＩＣ基板１７及び電装コネクタ１９は、保持板１２の前側及び後側の各々に配設されたヘッドチップ１１、…列に対してそれぞれ１つずつ設けられている。
【００３０】
［ワイピング機構］
本実施形態におけるワイピングは、図６〜９に示す通り、各ラインヘッド４，５，６，７の底面（保持板１２の底面）に接離可能に備えられた清掃ローラー８０を、ラインヘッド４，５，６，７の底面（保持板１２の底面）に摺接させながら右方向に移動させることによって行われる。ここで、清掃ローラー８０の動きの制御は、後述する制御装置９によって行われている。また、清掃ローラー８０は、各々のラインヘッド４，５，６，７に１つずつ設けられているため、各々のラインヘッド４，５，６，７を独立してワイピングすることが可能である。
なお、以下の図６，８，９において、説明の都合上、後述する清掃ローラー８０を含む洗浄液供給装置８のうち清掃ローラー８０のみを示した概略図を示して説明する。また、図９においては、説明の都合上、保持板１２上のノズル面１１１の位置を示すため、前側に設けられたヘッドチップ１１のノズル面１１１の位置を付したものを用いて説明する。
【００３１】
制御装置９は、図７に制御系を示すブロック図を示す通り、ＣＰＵ９１、ＲＯＭ９２、ＲＡＭ９３、図示しない入出力インターフェース等がバスに接続された汎用のコンピューターで構成されている。また、制御装置９は、インクジェット記録装置１全体の制御を行っている。具体的には、ワイピングを実行する際に、駆動モーター９４によって搬送ローラー３の駆動を停止し、ラインヘッド昇降モーター９５によってラインヘッド４，５，６，７を上方に上げ、ローラー回転モーター９６によって清掃ローラー８０を回転させ、移動部であるローラー搬送モーター９７によって清掃ローラー８０をラインヘッド４，５，６，７の底面に摺接させながら左端から右端まで移動させ、ラインヘッド昇降モーター９５によってラインヘッド４，５，６，７を上方に上げ、ローラー搬送モーター９７によって清掃ローラー８０を左方向に移動させて定位置に戻し、ラインヘッド昇降モーター９５によってラインヘッド４，５，６，７を下方向に下げて定位置に戻す、という一連の制御によってワイピングが行われている。
【００３２】
次に、清掃ローラー８０がラインヘッド４，５，６，７の底面（保持板１２の底面）をワイピングする際の清掃ローラー８０とラインヘッド４の位置関係について説明する。
清掃ローラー８０は、図８及び図９に示す通り、ワイピング実行前の定位置として、最初に保持板１２の底面の左端に接するように配置されている（図８（ａ），図９（ａ））。また、清掃ローラー８０は、ローラー回転モーター９６の駆動によって後述する調湿部材８４（図１０参照）で絞られながら回転され、絞られた後に保持板１２の底面に接するように配置されている。ここで、清掃ローラー８０は、回転されると同時にローラー搬送モーター９７の駆動によって保持板１２の底面に摺接されながら右端まで移動し（図９（ｂ））、ワイピングが行われる。次に、ラインヘッド昇降モーター９５の駆動によって保持板１２が清掃ローラー８０に接しない高さまで上方に上げられた後（図９（ｃ））、ローラー搬送モーター９７の駆動によって清掃ローラー８０は左方向に移動され（図８（ｂ），図９（ｄ））、最初の位置まで戻るようになっている。
【００３３】
また、清掃ローラー８０は、図８に示す通り、保持板１２の底面の幅よりも幅広のローラーを使用することによって、保持板１２の底面の全域をワイピングすることができるようになっている。また、図９に示す通り、ノズル面１１１と保持板１２の底面とを同一平面上になるように配置しているため、ノズル面１１１と保持板１２の底面との両面を同時にワイピングすることができる。
【００３４】
洗浄液供給装置８は、図１０に示す通り、外周の上部がラインヘッド４の保持板１２の底面に摺接してワイピングを行う清掃ローラー８０と、清掃ローラー８０を洗浄するための洗浄液８１と、洗浄液８１を貯留する容器８２と、清掃ローラーを回転するための回転軸８３と、清掃ローラー８０の外周に当接して洗浄液の吸収量を調節する調節部としての調湿部材８４と、を備える。
【００３５】
清掃ローラー８０は、外面を吸収体としてのスポンジローラーで形成されており、前後方向に沿った回転軸回りに回転できるように配置されている。スポンジローラーの材質は、吸水性や絞り性に優れ、付着物の拭き取り性も高い材質が望ましく、特に、ポリビニルアルコール（polyvinyl alcohol：ＰＶＡ）やポリ塩化ビニル（polyvinyl chloride：ＰＶＣ）が好ましく用いられる。また、インクジェット記録装置１に用いられるインクの種類等に基づいて、最適な材料が適宜選択されて使用される。
【００３６】
洗浄液８１は、水に防腐剤を混ぜたものを使用している。なお、洗浄液８１は、インクジェット記録装置１に用いられるインクの種類等に基づいて、適宜選択されることが望ましく、例えば、固着しやすいインクを使用するならば、それを溶かすものを使用することが望ましい。
【００３７】
容器８２は、上方が開放された筐体状に形成されており、洗浄液８１が内部に収容されている。また、容器８２の短辺側の両側壁部には、清掃ローラー８０の回転軸８３が挿通されるための穴が設けられており（図示略）、回転軸８３を介して清掃ローラー８０が容器８２に回転自在に保持されている。
【００３８】
回転軸８３は、ローラー回転モーター９６によって駆動され、清掃ローラー８０を回転させることで、洗浄液８１を保持板１２の底面まで供給することができるようになっている。
【００３９】
調湿部材８４は、清掃ローラー８０に平行に隣接し、当該清掃ローラー８０と略同一の長さでより小径な丸棒であり、清掃ローラー８０の外周部よりも剛性の高い素材で形成されている。調湿部材８４は、回転を利用したリンク機構によって、清掃ローラー８０に当て付ける状態と離れている状態とを切り替えることができるようになっており、清掃ローラー８０の外周面に過剰に含浸された洗浄液を絞り落として適量の含浸量に調節することができる。なお、リンク機構によって、清掃ローラー８０へ当て付ける状態と離れている状態を切り替えることとしたが、構成は適宜変更可能であり、例えば、引っ張りバネ等の張力を利用して切り替えるようにしても良い。
【００４０】
［本実施形態における技術的効果］
以上説明したように、本実施形態によれば、ノズル面１１１と保持板１２の底面が同一平面上に配置されているため、ノズル面１１１と保持板１２の底面との両面を同時にワイピングすることができ、それぞれの面を同時に短時間でワイピングすることができる。
また、ワイピングには清掃ローラー８０を使用しているため、インク滴を好適に吸収することができ、拭き残りを抑制することができる。また、清掃ローラー８０の幅を保持板１２の底面よりも幅広とすることにより、保持板１２の底面の全面をワイピングすることができ、保持板１２の底面の端部におけるインク付着を防ぐことができる。
【００４１】
［その他］
なお、本実施形態では、清掃ローラー８０をラインヘッド４，５，６，７に対してそれぞれ一つずつ設けることとしたが、複数のラインヘッドを跨ぐように設けても良く、例えば、４つのラインヘッド４，５，６，７の底面（保持板１２の底面）の幅方向全長を全て跨ぐように設けても良い（図１０）。更に、清掃ローラー８０の両端部は、全てのラインヘッド４，５，６，７の保持板１２の幅方向の両端部よりも外側に位置している。換言すれば、４つのラインヘッド４，５，６，７の前後方向の長さよりも清掃ローラー８０の長さが長い。このように構成すれば、４つのラインヘッドの底面を同時に摺接させながら左右方向に移動させ、４つのラインヘッドを同時にワイピングすることができる。また、少ない数の清掃ローラー８０でメンテナンス装置を構成できるため、清掃ローラー８０を動かすための構成や制御を単純化することができる。
【００４２】
ここで、インクジェット記録装置１が大型である場合、清掃ローラー８０も必然的に大きくなる。そして、大きな清掃ローラー８０は撓みやすいため、安定してワイピングすることが難しいという問題が生じる。そこで、大型のインクジェット記録装置１であれば、本実施形態で示した通り、各々のラインヘッドに対して一つずつ清掃ローラー８０を有する構成とすることが好ましく、一方で、小型のインクジェット記録装置１であれば、清掃ローラー８０を複数のラインヘッドを跨ぐように設ける構成とすることが好ましい。
【００４３】
また、本実施形態では、記録媒体の搬送のみで画像形成を行ういわゆるラインヘッド方式によるインクジェット記録装置１を例に説明したが、本実施形態に限定されることはなく、シリアルヘッド方式のインクジェット記録装置１００を採用しても良い。シリアルヘッド方式は、キャリッジに各色の記録ヘッドを左右方向に並べて搭載し、記録媒体を前後方向に搬送しながら、キャリッジを記録媒体の搬送方向に直交する方向に搬送し、記録媒体に上方からインクを吐出する方法である。そして、シリアルヘッド方式の全体構成としては、例えば図１２に示す通り、記録媒体を支持する搬送ベルト１０１と、記録ヘッド１０７を備えるキャリッジ１０３を移動させるためのキャリッジレール１０２と、清掃ローラー８０を備える洗浄液供給装置１０４と、インクラック１０５と、コンピューター１０６とで構成される。
そして、シリアルヘッド方式を採用する場合には、例えば、キャリッジレール１０２の延長上に清掃ローラー８０を有する洗浄液供給装置１０４を固定配置し、キャリッジ１０３を左右方向に移動させることによって、ワイピングできるように構成すれば良い（図１３）。ここで、本実施形態と同様に、保持板１０９の底面（キャリッジ１０３の底面）とノズル面１０８を同一平面上にしておくことにより、保持板１０９の底面とノズル面１０８との両面をワイピングすることが可能である。
また、上記の例に限られず、例えば、キャリッジ１０３を、清掃ローラー８０を備える洗浄液供給装置１０４の配置部まで移動させて静置させた後、清掃ローラー８０側をキャリッジ１０３の底面に対して移動させることでワイピングしても良い。
【００４４】
さらに、本発明の範囲は上記に限られることなく、本発明の趣旨を逸脱しない範囲において種々の改良並びに設計の変更を行っても良い。
【符号の説明】
【００４５】
１      インクジェット記録装置
１０    インクジェットヘッド
１１    ヘッドチップ（記録ヘッド）
１２    保持板(保持部)
８０    清掃ローラー
８１    洗浄液
８２    容器
８３    回転軸
８４    調湿部材（調節部）
９７    ローラー搬送モーター（移動部）
１１１  ノズル面
【図１】
2016002651.tif 000003
【図２】
2016002651.tif 000004
【図３】
2016002651.tif 000005
【図４】
2016002651.tif 000006
【図５】
2016002651.tif 000007
【図６】
2016002651.tif 000008
【図７】
2016002651.tif 000009
【図８】
2016002651.tif 000010
【図９】
2016002651.tif 000011
【図１０】
2016002651.tif 000012
【図１１】
2016002651.tif 000013
【図１２】
2016002651.tif 000014
【図１３】
2016002651.tif 000015